(57)【要約】【課題】デジタル放送が中断する際に、選択した他の情報を提示することができるデジタル放送受信装置を提供する。【解決手段】  デジタル放送による配信情報を受信するデジタル放送受信手段１と、配信情報をデコードするデジタル放送デコード手段２と、デジタル放送に関する放送関連情報を取得する取得手段３と、放送関連情報を記憶する記憶手段４と、配信情報の出力が中断する時刻を判断する中断判断手段５と、中断時刻に基づいて、取得した放送関連情報のうち一の放送関連情報を選択する選択手段６と、選択された放送関連情報を配信情報の中断時に出力手段により出力させる出力制御手段７と、デジタル放送及び放送関連情報を出力する出力手段８１とを有する。【選択図】  図１
2009141752.tif 000002
【特許請求の範囲】
【請求項１】
デジタル放送による配信情報を受信する受信手段と、前記配信情報を出力する出力手段とを備えたデジタル放送受信装置であって、
前記デジタル放送に関する放送関連情報を取得する取得手段と、
前記配信情報の出力が中断される中断時刻を判断する中断判断手段と、
前記中断判断手段により判断された中断時刻に基づいて、前記取得した放送関連情報のうち一の放送関連情報を選択する選択手段と、
前記選択手段により選択された放送関連情報を、前記配信情報の中断時に出力させる出力制御手段と、を有するデジタル放送受信装置。
【請求項２】
請求項１に記載のデジタル放送受信装置において、
前記選択手段は、前記放送関連情報に付された利用期間と前記配信情報の出力が中断する時刻とを対比し、この対比結果に基づいて一の放送関連情報を選択するデジタル放送受信装置。
【請求項３】
請求項２に記載のデジタル放送受信装置において、
前記選択手段は、前記配信情報の中断時刻から前記利用期間の終期までの時間が最も短い放送関連情報を選択するデジタル放送受信装置。
【請求項４】
請求項１〜３のいずれか一項に記載のデジタル放送受信装置において、
前記選択手段は、前記放送関連情報に付された利用エリアと取得した前記ユーザの現在位置とを対比し、この対比結果に基づいて一の放送関連情報を選択するデジタル放送受信装置。
【請求項５】
請求項４に記載のデジタル放送受信装置において、
前記選択手段は、前記ユーザの現在位置から利用エリアまでの距離が最も短い放送関連情報を選択するデジタル放送受信装置。
【請求項６】
請求項１〜５の何れか一項に記載のデジタル放送受信装置において、
前記中断判断手段は、前記デジタル放送のチャンネル変更の操作情報を取得した場合、前記配信情報の出力が中断すると判断するデジタル放送受信装置。
【請求項７】
請求項６に記載のデジタル放送受信装置において、
前記選択手段は、前記チャンネル変更の操作情報に係る変更後のチャンネルに対応づけられた放送関連情報を選択するデジタル放送受信装置。
【請求項８】
請求項１〜７の何れか一項に記載のデジタル放送受信装置において、
前記受信手段は第１受信手段と第２受信手段とを有し、
前記取得手段は、前記第２の受信手段を介して放送関連情報を取得するとともに、取得した前記配信情報に放送用のチャンネルを対応づけて記憶手段に記憶するデジタル放送受信装置。
【請求項９】
請求項８に記載のデジタル放送受信装置において、
前記取得手段は、予め設定された前記配信情報のチャンネル情報を取得し、前記設定されたチャンネルの放送関連情報を優先的に取得する取得スケジュールを決定し、決定したスケジュールに従って、前記第２受信手段に配信情報を受信するチャンネルを切り替えさせるデジタル放送受信装置。
【請求項１０】
請求項８に記載のデジタル放送受信装置において、
前記取得手段は、前記チャンネルの選択履歴を取得し、選択された回数の多いチャンネルの放送関連情報を優先的に取得する取得スケジュールを決定し、決定したスケジュールに従って、前記第２受信手段に受信チャンネルを切り替えさせるデジタル放送受信装置。
【請求項１１】
請求項８に記載のデジタル放送受信装置において、
前記取得手段は、前記配信情報の視聴時間がチャンネルごとに積算された積算時間を取得し、前記積算時間の長いチャンネルの放送関連情報を優先的に取得する取得スケジュールを決定し、決定したスケジュールに従って、前記第２受信手段に受信チャンネルを切り替えさせるデジタル放送受信装置。
【請求項１２】
デジタル放送による配信情報を受信し、ユーザに対して出力するデジタル放送の提示方法であって、
前記配信情報の出力が中断される中断時刻を判断し、
前記判断した中断時刻に基づいて、先に取得した前記デジタル放送に関する放送関連情報のうち一の放送関連情報を選択し、
選択された放送関連情報を前記デジタル放送の中断時に出力するデジタル放送の提示方法。
【発明の詳細な説明】
【技術分野】
【０００１】
本発明は、デジタル放送の提示が中断される場合に、他の情報を提示するデジタル放送受信装置及びデジタル放送の提示方法に関する。
【背景技術】
【０００２】
圧縮符号化された配信情報を受信するデジタル放送受信装置が知られている。この配信情報に含まれる圧縮符合化された映像信号及び音声信号には、時間情報ＰＴＳ（Presentation Time Stamp） が、その復号・再生の単位ごとに付されている。
【０００３】
このため、受信チャンネルが切り替えられ、映像信号及び音声信号が一時的に途絶えたとしても、時間情報ＰＴＳに基づいて、次の提示タイミングに映像信号と音声信号とを同期再生することができる。
【０００４】
ところが、同期再生に際して各信号の出力タイミングを揃えるため、チャンネル切り替えを指示してから新しい受信内容が提示されるまでの間、放送内容が一時的に提示されないという状態が発生する。このように、放送が一時的に途切れると、視聴者に違和感を与えるという不都合があった。
【０００５】
こうした視聴者に対する違和感を低減させるため、チャンネル切り替えを指示してから新しい受信内容が提示されるまでの間、放送番組表（ＥＰＧ）等の付加情報を提示するデジタルテレビジョン放送受信機が提案されている（特許文献１参照）。
【０００６】
【特許文献１】特開２００１−３３９６６３号公報
【発明の開示】
【発明が解決しようとする課題】
【０００７】
しかしながら、前回の装置利用から今回の装置利用までに間隔が空いた場合など、放送番組表（ＥＰＧ）を取得（記憶）してから長時間が経過した場合には、チャンネル切り替え時に今の放送内容には対応しない古い放送番組表（ＥＰＧ）が提示され、視聴者に誤解を与えてしまうという問題があった。
【０００８】
本願発明が解決しようとする課題は、装置の起動時やチャンネル切り替え時などの放送内容が一時提示されない場合に、出力が中断される中断時刻に基づいてユーザに有用な情報を提示するデジタル放送受信装置及びデジタル放送の提示方法を提供することである。
【課題を解決するための手段】
【０００９】
本発明は、デジタル放送による配信情報を受信する受信手段と、ユーザに対して出力する出力手段とを備えたデジタル放送受信装置に係る発明である。
【００１０】
本発明は以下の解決手段によって上記課題を解決する。
【００１１】
すなわち、本発明は、デジタル放送に関する放送関連情報を取得する取得手段と、配信情報の出力が中断される中断時刻を判断する中断判断手段と、中断判断手段により判断された中断時刻に基づいて、取得した放送関連情報のうち一の放送関連情報を選択する選択手段と、選択手段により選択された放送関連情報を、配信情報の中断時に出力させる出力制御手段とを備える。
【発明の効果】
【００１２】
本発明によれば、デジタル放送の出力が中断された場合でも、時間の観点から有用な情報を選択して提示することができる。
【発明を実施するための最良の形態】
【００１３】
＜第１実施形態＞
以下、本発明の実施形態を図面に基づいて説明する。
【００１４】
本実施形態のデジタル放送受信装置は、デジタル放送の受信開始時（装置起動時）、デジタル放送のチャンネルの変更時、表示態様の切り替え時に放送内容の提示に遅れ（タイムラグ）が生じ、配信情報の出力が一時的に中断した場合、選択した他の情報を提示するものである。
【００１５】
図１は本実施形態に係るデジタル放送受信装置のブロック構成を示す図、図２は利用期間が付された放送関連情報の一例を示す図、図３はチャンネルごとに記憶された放送関連情報の一例を示す図、図４は本実施形態の動作手順の全体概要を示すフローチャート図、図５は本実施形態の放送関連情報の選択処理の動作手順を示すフローチャート図である。
【００１６】
図１に示すように、本実施形態のデジタル放送受信装置１００は、デジタル放送を受信するデジタル放送受信手段１と、デジタル放送デコード手段２と、配信情報に含まれる放送関連情報を取得する取得手段３と、配信情報の出力の中断を判断する中断判断手段５と、放送関連情報を選択する選択手段６と、配信情報の出力を制御する出力制御手段７と、放送内容や放送関連情報を出力する出力手段８１及びユーザからの入力を受け付ける入力手段８２を含む入出力装置８とを備える。また、取得した放送関連情報を記憶する記憶手段４を設けることができる。
【００１７】
以下、各構成について説明する。
【００１８】
受信手段としてのデジタル放送受信手段１は、アンテナ１１とチューナー部１２とを備え、チューナー部１２は、アンテナ１１に到達した各種放送信号の中から、ユーザが指定した所定の周波数成分の受信対象となる周波数信号を抽出し、抽出したデジタル放送信号をデジタル放送デコード手段２へ出力する。
【００１９】
また、デジタル放送デコード手段２は、データ処理部２１を備え、このデータ処理部２１は、チューナー部１２が抽出したデジタル放送信号に所定のデジタル復調処理を行い、音声信号とＢＭＬ（Broadcast Markup Language）などで記述されたデータ信号とに分離する。また、データ処理部２１は、分離されたデータ信号を解析し、データ放送画面を作成するとともに、含まれる放送関連情報を抽出する。そして、データ処理部２１で分離された音声信号は、出力制御手段７を介して出力手段８１のスピーカ８１１へ出力される一方で、データ処理部２１で作成された画像・文字データは、出力制御手段７を介して出力手段８１のディスプレイ８１２に出力される。
【００２０】
また、取得手段３は、デジタル放送受信手段１及びデジタル放送デコード手段２を介してデジタル放送に関する放送関連情報を取得する。放送関連情報は、各チャンネルで放送される番組の放送番組表（ＥＰＧ）、放送番組に関するイベント情報、放送局のロゴなどを含む。放送関連情報は、テキスト情報、画像情報、動画情報であってもよい。
【００２１】
本実施形態のデジタル放送受信装置１００は、デジタル放送受信手段１及びデジタル放送デコード手段２を各１つずつ備える。このため、取得手段３は、ユーザが現在視聴しているチャンネル（以下、ＣＨとも表現する）の配信情報に含まれる放送関連情報を取得する。なお、デジタル放送受信手段１及びデジタル放送デコード手段２を複数設けることも可能であるが、その態様については第２実施形態において説明する。
【００２２】
さらに、本実施形態の取得手段３は、付記情報取得部３１を有し、放送関連情報とともに、放送関連情報に付記された、放送関連情報の利用期間や放送関連情報の利用エリアなどの付記情報を取得する。なお、取得手段３は、通信装置２００を介してインターネットなどの通信網にアクセスし、放送関連情報、これに付記された利用期間や利用エリアなどの付記情報を取得することができる。取得手段３は、取得した放送関連情報及び付記情報等を記憶手段４に記憶させることができる。
【００２３】
この記憶手段４は、取得手段３が取得した放送関連情報を記憶する放送関連情報記憶部４１を有する。本実施形態の放送関連情報記憶部４１は、放送関連情報にその放送関連情報の利用期間を付して取得し、これらを関連づけて記憶することができる。本実施形態の利用期間は、放送関連情報が有効に利用できる時間的制限情報である。利用期間は放送関連情報が利用可能な終期を少なくとも含む。もちろん、利用期間に放送関連情報が利用可能となる始期を含ませることもできる。例えば、週毎の放送番組表（放送関連情報）についての利用期間は、放送番組表に掲載された番組の放送日前の所定の日（予告開始の日）から放送終了日までの期間である。また、放送局又は放送番組が開催するイベント情報（放送関連情報）についての利用期間は、イベント開催前の所定の日（広告宣伝開始の日）からイベント開催最終日までの期間である。さらに、デジタル放送の放送局のロゴ（商標）情報（放送関連情報）についても、イベント開催期間やキャンペーン期間に応じて利用期間を定めることができる。
【００２４】
図２に利用期間（利用期間の終期）が付記された放送関連情報の一例を示し、図３にチャンネル番号と対応づけた放送関連情報の一例を示す。
【００２５】
また、放送関連情報記憶部４１は、放送関連情報に、その放送関連情報の利用エリアを付して記憶することができる。この利用エリアは放送関連情報が利用可能な地域を行政区画、地図上の座標値により定義する情報である。利用エリアは、放送電波が受信可能な地域の情報であってもよいし、放送に関するイベントが開催される会場を基準に定義された地域の情報であってもよい。利用エリア情報には、利用エリアの中心地点の位置情報、利用エリア内に予め定義された地点の位置情報、利用エリアの外延の位置情報を含めることができる。また、利用エリアは、放送関連情報の対象となる位置（イベント会場）へのアクセス経路（道路地図）を参照し、放送関連情報の対象となる位置までの所要時間が所定時間内となる範囲と定義することもできる。
【００２６】
なお、記憶手段４、放送関連情報記憶部４１を別に設けることなく、取得手段３に放送関連情報を記憶するメモリ３２を設けてもよい。
【００２７】
本実施形態の中断判断手段５は、タイマー５０と、操作情報取得部５１とを有し、配信情報の出力の中断の発生及び中断時刻を判断する。本実施形態の中断判断手段５は、予め配信情報の中断原因と、その中断原因を判断するための原因情報とを定義する。例えば、ユーザがチャンネル変更をしたときに配信情報の中断が起こるとした場合、配信情報の中断原因をチャンネル変更と定義するとともに、ユーザのチャンネル選択の入力情報を原因情報として定義する。つまり、中断判断手段５は、チャンネル選択の入力情報を取得した場合、配信情報の出力の中断が発生すると判断することができる。
【００２８】
操作情報取得部５１は、ユーザにより入力手段８２を介して入力される操作情報（予め原因情報として定義されたチャンネル選択操作情報、起動操作情報、データ更新情報）と、その入力又は取得タイミングを監視する。
【００２９】
ちなみに、本実施形態の入力手段８２は、ユーザからの入力情報を受け付ける情報入力部８２１を備える。情報入力部８２１は、ユーザからのチャンネル変更の操作入力を受け付けるチャンネル選択入力機能、ユーザからの起動の操作入力を受け付けるＯＮ／ＯＦＦ入力機能、ユーザからのデータ更新の操作入力を受け付けるデータ更新入力機能その他の操作入力機能を備える。
【００３０】
また、操作情報取得部５１は、操作情報（原因情報）を取得した場合、その入力のタイミング、又は操作情報の取得のタイミングをタイマー５０から得て、そのタイミングに基づいて配信情報の出力が中断する時刻を判断する。操作情報の取得タイミングと配信情報の出力が中断する時刻との関係は予め定義しておくことができる。
【００３１】
具体的に、配信情報の中断原因をチャンネル変更と定義した場合、操作情報取得部５１は、ユーザにより入力されたチャンネル選択（変更）の操作情報を取得したら、その操作情報の取得タイミングに基づいて配信情報の出力が中断する中断時刻を判断する。
【００３２】
また、配信情報の中断原因を起動時と定義した場合、操作情報取得部５１は、ユーザにより入力された起動の操作情報を取得したら、その操作情報の取得タイミングに基づいて配信情報の出力が中断する時刻を判断する。
【００３３】
さらに、配信情報の中断原因をデータの更新（最新情報の提示）と定義した場合、操作情報取得部５１は、ユーザがデータ更新の操作情報を入力したら、その操作情報の取得タイミングに基づいて配信情報の出力が中断する時刻を判断する。判断した中断時刻は、選択手段６へ送出する。
【００３４】
選択手段６は、中断時刻取得部６１と、利用期間取得部６２と、時刻対比部６３を備え、配信情報の出力が中断する時刻に基づいて、取得した放送関連情報の中から一の放送関連情報を選択する。
【００３５】
この中断時刻取得部６１は、配信情報の出力が中断する中断時刻を中断判断手段５から取得する。また、利用期間取得部６２は、取得手段３の付記情報取得部３１を介して利用期間を取得する。そして、時刻対比部６３は、放送関連情報に付された利用期間と配信情報の中断時刻とを対比し、この対比結果に基づいて、一の放送関連情報を選択する。例えば、時刻対比部６３は、配信情報の中断時刻と利用期間とを対比し、配信情報の中断時刻を含む利用期間が付された放送関連情報を選択することができる。これにより、利用期間内（現在の放送内容と合致した）の有用な放送関連情報を選択し、提示することができる。言い換えると、現在の放送内容とは異なる期限切れの放送関連情報などの無用な情報を出力しないようにすることができる。
【００３６】
また、本実施形態の時刻対比部６３は、配信情報の出力が中断する時刻と放送関連情報に付された利用期間の終期とを対比し、配信情報の出力が中断する時刻から利用期間の終期までの時間が最も短い利用期間が付された放送関連情報を選択することができる。これにより、放送関連情報が利用期間中であるとともに、その利用期限（利用期間の終期）までの時間が短く、利用期間後は利用できなくなってしまう（利用可能な時間が短い）放送関連情報を優先的に選択することができる。
【００３７】
さらに、選択手段６は、現在位置取得部６５と、利用エリア取得部６６と、位置対比部６７とを備え、取得したユーザの現在位置に基づいて、一の放送関連情報を選択する。現在位置取得部６５は、ナビゲーション装置３００により検出された現在位置を直接又は入力手段８２を介して取得する。利用エリア取得部６６は、取得手段３の付記情報取得部３１を介して、利用エリアを取得する。そして位置対比部６７は、放送関連情報に付された利用エリアと取得したユーザの現在位置とを対比し、この対比結果に基づいて、一の放送関連情報を選択する。例えば、位置対比部６７は、現在位置を含む利用エリア内が付された放送関連情報を選択することができる。こうすると、利用エリア内、すなわち現在位置に近い有用な関連情報を選択し、出力することができる。言い換えると、ユーザの現在位置から遠いイベントに関する放送関連情報といった無用な情報を出力しないようにすることができる。また、位置対比部６３は、ユーザの現在位置と放送関連情報に付された利用エリアとを対比し、ユーザの現在位置から利用エリアまでの距離が最も短い利用エリアが付された放送関連情報を選択することができる。現在位置から利用エリアまでの距離は、現在位置から利用エリアの中心点までの距離、現在位置から利用エリア内の予め定義された地点までの距離、又は現在位置から利用エリアの外延までの距離とすることができる。これにより、現在位置が利用エリア内であるとともに、現在位置から近い利用エリアが付された有用な放送関連情報（例えば放送番組のイベントに関する放送関連情報等）を優先的に選択することができる。
【００３８】
また、選択手段６は、配信情報の中断原因がチャンネル変更である場合、変更先のチャンネルに対応づけられた放送関連情報を選択することができる。この場合、放送関連情報は変更先のチャンネルと対応づけて取得、記憶がされている。
【００３９】
本実施形態の出力制御手段７は、選択手段６により選択された放送関連情報を配信情報の中断時に出力手段８１を介して出力させる。本実施形態の出力制御手段７は、中断時にデコードされた配信情報の出力と放送関連情報の出力とを切り替えを行う表示切替部７１を有する。
【００４０】
本実施形態の入出力手段８の出力手段８１は、音声データを出力するスピーカ８１１と画像・文字データを出力するディスプレイ８１２とを有する。
【００４１】
図４は、放送関連情報の出力処理を示すフローチャート図である。入力手段８２は、ユーザによる操作情報の入力を受け付ける（１０１）。中断判断手段５は、入力手段８２を介して入力された操作情報を取得し、操作情報に基づいて、中断原因と定義された操作情報を参照し、配信情報の出力が中断するか否かを判断する（１０２）。配信情報の出力が中断されない場合は、配信情報を出力する（１０３）。他方、ユーザからチャンネル変更やデータ更新、起動等の操作情報が入力され、中断判断手段５が配信情報の出力が中断されると判断した場合、中断判断手段５は、タイマー５０を参照し、配信情報の出力が中断する時刻を判断する（１０４）。
【００４２】
次に、選択手段６は、記憶手段４に記憶された放送関連情報を読み込み（１０５）、ステップ１０４にて判断された中断時刻に基づいて、一の放送関連情報を選択する（１０６）。出力制御手段７は、選択手段６により選択された放送関連情報を、配信情報の中断時に、出力手段８１のスピーカ８１１又はディスプレイ８１２を介して出力させる（１０７）。
【００４３】
続いて、図５に基づいて、放送関連情報の選択処理の手順について説明する。選択手段６は、受信手段１を介して現在受信中のチャンネル番号を取得する（２０１）。また、選択手段６は、記憶手段４の放送関連情報記憶部４１に受信中のチャンネルに関する放送関連情報が記憶されているか否かを判断する（２０２）。受信チャンネルに対応する放送関連情報が記憶されていなければ、ステップ２０６へ進む。他方、受信チャンネルに対応する放送関連情報が記憶されている場合、選択手段６の中断時刻取得部６１は、中断判断手段５により判断された配信情報の出力が中断する時刻（中断時刻）を取得する（２０３）。さらに、選択手段の利用期間取得部６２は、記憶された放送関連情報に付された利用期間を取得する。選択手段６の時刻対比部６３は、配信情報の出力が中断する時刻と利用期間とを対比する。そして、選択手段６は、受信中のチャンネルに関する放送関連情報であって、かつ、取得した配信情報の中断時刻が放送関連情報に付された利用期間内の放送関連情報を検索する（２０４）。そのような情報が複数ある場合、配信情報の中断時刻から利用期間の終期までの時間が最も短い放送関連情報を選択し、出力制御手段７へ送出する。出力制御手段７は、選択手段６が選択した放送関連情報を出力手段８１に出力させる（２０６）。他方、２０４の条件を満たす放送関連情報が検索できない場合はステップ２０６へ進む。
【００４４】
その後、デジタル放送受信装置１００を含む車載機の電源がオフにされずに（２０６、２０７）、受信手段１、デコード手段２を介して出力可能な配信情報が取得できたら、表示切替部７１はそれまで出力していた放送関連情報から配信情報へ出力を切り替える。（２０９）。
【００４５】
その後、車載機の電源オフ（２１０）、又は、チャンネル変更情報を取得するまで、デジタル放送デコード手段２が出力する配信情報の出力を継続する（２１２）。選択手段６は、変更後のチャンネル情報を入力手段８２から変更先のチャンネル情報を直接取得することもできるし、入力手段８２及びデジタル放送受信手段１のチューナー部１２を介して変更先のチャンネル情報を取得することもできる。
【００４６】
また、選択手段６は、変更後のチャンネル情報を取得したら（２１２、２１３）、変更先チャンネルに関する放送関連情報が記憶手段４の放送関連情報記憶部４１にあるかを確認し（２０２）、変更先のチャンネルの放送関連情報が存在すれば、変更先のチャンネルについて、ステップ２０２に続くステップ２０３以降の処理を実行する。
【００４７】
図５に示す例は、中断時刻と放送関連情報に付された利用期間に基づいて放送関連情報を選択したが、本実施形態の選択手段６は、さらに、放送関連情報に付された利用エリアとユーザの現在位置との対比結果に基づいて一の放送関連情報を選択することができる。つまり、図５のステップ２０２で受信中のチャンネルの放送関連情報が存在しない場合、ステップ２０４で中断時刻が含まれる利用期間を有する放送関連情報が存在しない場合、又は、中断時刻を含み、かつ、その利用期間の終期までの時間が最も短い情報が存在した場合、さらにユーザの現在位置と放送関連情報に付された利用エリアとに基づいてユーザに有益な放送関連情報を絞り込むことができる。
【００４８】
図６にその処理例を示した。図６に示すように、図５に示すステップ２０２、２０４、２０５の後、選択手段６の現在位置取得部６５は入力手段８２の現在位置入力機能からユーザの現在位置を取得する（３０３）。同じく選択手段６の利用エリア取得部６６は、記憶手段４に記憶された放送関連情報に付された利用エリアを取得する。そして、選択手段６の位置対比部６７は、受信中のチャンネルに関し、現在位置と利用エリアとを対比する。選択手段６は、現在位置が利用エリア内に含まれる放送関連情報を選択する（３０４）。さらに、現在位置が利用エリア内に含まれる放送関連情報が複数ある場合（３０４でＹ）、選択手段６は、現在位置から利用エリアまでの距離が最も短い情報を選択する。その後の処理は、図５に示すステップ２０６以降と同じである。
【００４９】
以上のように構成され、動作する本実施形態のデジタル放送受信装置及びデジタル放送の提示方法によれば、以下の効果を奏する。
【００５０】
装置の起動時、チャンネル切り替え時、及びデータ更新時など、放送内容が一時的に提示されない、すなわち放送の中断が発生した場合、その中断のタイミングに応じて有用な情報を提示することができる。中断時に画面に何も提示されないというユーザの違和感を減少させることができるとともに、時間の観点から有用な放送関連情報を選択して提示することができる。
【００５１】
すなわち、放送関連情報に利用期間を付すことにより、配信情報が中断する中断時刻と放送関連情報に付された利用期間との対比結果に基づいて、出力する放送関連情報を選択することにより、利用期間を考慮した有用な情報をデジタル放送の中断時に提示することができる。具体的には、放送関連情報の利用期間に配信情報の出力が中断する時刻が含まれる放送関連情報を選択することができるため、中断時において時間的に有効な放送関連情報を選択し、出力することができる。これにより、利用期間を過ぎたような情報を提示することを防止することができる。また、配信情報の出力が中断する時刻から利用期間の終期までの時間が最も短い放送関連情報を選択することにより、利用期間終期までの時間が迫っている情報を優先的に提示することができる。
【００５２】
加えて、放送関連情報に付された利用エリアと取得したユーザの現在位置とを対比し、この対比結果に基づいて、出力する放送関連情報を選択することにより、中断時において、地理的状況の観点から適切な放送関連情報をユーザに提示することができる。具体的には、放送関連情報に利用エリアを付すことにより、放送関連情報の利用エリアにユーザの現在位置が含まれる放送関連情報を選択することができるため、中断時において有効な放送関連情報を選択し、出力することができる。これにより、現在位置から遠い場所に関する情報や、受信領域以外の放送局に関する情報を提示することを防止することができる。
【００５３】
そして、ユーザの現在位置から利用エリアまでの距離が最も短い放送関連情報を選択することにより、ユーザに最も近い、すなわち利用しやすい有用な情報をデジタル放送の中断時に提示することができる。
【００５４】
また、本実施形態では、デジタル放送のチャンネル変更の操作情報により配信情報の出力が中断すると判断するため、チャンネル変更による放送の中断の発生及び発生タイミングを正確に判断し、適切に放送関連情報を提示することができる。チャンネル変更による一時中断は、ユーザにとっては違和感のある状況である。
【００５５】
特に、チャンネル変更時に待機することがないアナログ放送に慣れているユーザにとっては、チャンネル変更操作後に放送が途切れる状態に違和感がある。本実施形態によれば、中断時にすぐに放送関連情報を提示するため、このような違和感をユーザに与えないようにすることができる。
【００５６】
さらに、チャンネル変更時には、変更後のチャンネルに対応づけられた放送関連情報を提示するため、放送が一時中断されてもユーザに違和感を与えることなく、ユーザにとって有用な情報を提示することができる。
【００５７】
なお、本実施形態では、デジタル放送受信手段１とデジタル放送デコード手段２とを各１つずつ設けた例を示した。これらを複数設けることもできるが、１つずつ設けた場合でも装置のコストを上昇させることなく、放送中断時において有用な情報を提示することができる。
【００５８】
＜第２実施形態＞
次に、本発明の第２実施形態を図面に基づいて説明する。図７は本実施形態のブロック構成図である。本実施形態の基本的な構成は第１実施形態の基本的な構成と共通する。ここでは、説明を明瞭にするため、本実施形態の特徴的な部分を中心に説明する。
【００５９】
本実施形態のデジタル放送受信装置１１０は、２対のデジタル放送受信手段及びデジタル放送デコード手段を有し、取得手段３はいずれか一対のデジタル放送受信手段とデジタル放送デコード手段を介して放送関連情報を取得し、取得した放送関連情報をチャンネル情報と対応づけて記憶手段４に記憶する点を特徴とする。放送関連情報は、第１実施形態の処理手順を示す図４のステップ１０５において、選択手段６が読み込むことが可能なように記憶される。
【００６０】
図７に示すように、本実施形態のデジタル放送受信装置１１０は、第１デジタル放送受信手段１（第１受信手段に対応）と及び第１デジタル放送デコード手段２と、第２デジタル放送受信手段９（第２受信手段に対応）及び第２デジタル放送デコード手段１０とを有する。第１デジタル放送受信手段１は第１実施形態のデジタル放送受信手段１に対応し、と第１デジタル放送デコード手段２は第１実施形態のデジタル放送デコード手段２に対応する。つまり、本実施形態では、ユーザが選択したチャンネルの配信情報を専ら受信する受信手段１に加えて、他の受信手段９を備える。なお、説明の便宜のため、同様の機能を備えるものには、同じ符号を付した。
【００６１】
また、第２デジタル放送受信手段９は、第１実施形態のデジタル放送受信手段１と共通の機能を備え、第２デジタル放送デコード手段１０は、第１実施形態のデジタル放送デコード手段２と共通の機能を備える。ただし、第２デジタル放送受信手段９と第２デジタルデコード手段１０は、主に放送関連情報の取得に用いる。
【００６２】
もちろん、第１デジタル放送受信手段１及び第１デジタルデコード手段２も放送関連情報の取得を行うことができる。このように、本実施形態のデジタル放送受信装置１１０は、二つの受信手段を備えるため、第１デジタル放送受信手段１にユーザが選択したチャンネルの配信情報を受信させ、第２デジタル放送受信手段９にその他の（ユーザが選択したチャンネル以外の）チャンネルの配信情報を受信させる。これにより、受信中のチャンネル以外のチャンネルの放送に関する放送関連情報を予め短い周期で取得しておくことができる。取得した放送関連情報は、放送に係るチャンネル情報と対応づけて記憶手段４の放送関連情報記憶部４１に記憶する。つまり放送関連情報記憶部４１を参照すれば、チャンネルに応じた放送関連情報を選択することができる。
【００６３】
また、取得手段３は、第１実施形態と同様に付記情報取得部３１を備え、この付記情報取得部３１は、放送関連情報に付された利用期間、利用エリアを取得する。利用期間、利用エリアの態様は、第１実施形態のそれらと共通する。
【００６４】
本実施形態の取得手段３は、第２デジタル放送受信手段９を介して行う放送関連情報の取得を制御する取得制御部３２を備える。さらに、取得制御部３２は、取得制御を指示する取得スケジュールを作成する取得スケジュール作成部３２１を備える。取得制御部３２は、取得スケジュール作成部３２１により作成されたスケジュールに従って放送関連情報を取得するべく、第２デジタル放送受信手段９に受信チャンネルを切り替えさせる。
【００６５】
本実施形態の取得スケジュール作成部３２１は、ユーザが予め設定したプリセットチャンネル、ユーザの過去のチャンネル選択履歴、又はユーザの過去の視聴履歴に基づいて取得スケジュールを作成する。これらの情報は、入力手段８２から取得する。具体的に、ユーザが予め設定したプリセットチャンネルの情報は、情報入力部８２１のチャンネルプリセット機能を介して取得する。このチャンネルプリセット機能は、ユーザが高い頻度で視聴するチャンネルの入力を受け付け、これを記憶し、起動時には自動的乃至簡易な操作でチャンネルを合わせることができる機能である。また、ユーザの過去のチャンネル選択履歴は、情報入力部８２１の選択履歴蓄積機能から取得する。この選択履歴蓄積機能は、ユーザが行なったチャンネルの選択操作を経時的に記憶する機能である。さらに、ユーザの過去の視聴履歴は、同じく情報入力部８２１の視聴時間積算機能から取得する。この視聴時間積算機能は、チャンネルごとにユーザが視聴した時間を積算する機能である。
【００６６】
そして、本実施形態の取得スケジュール作成部３２１は、予め設定された配信情報のチャンネル情報、いわゆるプリセットチャンネル情報を取得し、この設定された放送用のチャンネルの放送関連情報を優先的に取得する取得スケジュールを決定することができる。
【００６７】
また、本実施形態の取得スケジュール作成部３２１は、放送用のチャンネルの選択履歴を取得し、選択された回数の多いチャンネルの放送関連情報を優先的に取得する取得スケジュールを決定することができる。
【００６８】
さらに、本実施形態の取得スケジュール作成部３２１は、配信情報の視聴時間をチャンネルごとに積算し、視聴積算時間の長いチャンネルの放送関連情報を優先的に取得する取得スケジュールを決定することができる。
【００６９】
これら３つの放送関連情報の取得手法について、詳しく説明する。
【００７０】
まず、図８〜１１に基づいて、予め設定されたチャンネル（プリセットチャンネル）を優先的に取得するスケジュールに基づいて放送関連情報を取得し、記憶手段４に記憶する処理について説明する。本処理のフローチャートを図８に示した。図８に示すように、まず、取得制御部３２の取得スケジュール作成部３２１は、ユーザの現在地において受信することができる受信可能チャンネル情報を取得する（５０１）。ユーザの現在位置は入力手段８２の現在位置入力機能を介して車載装置のＧＰＳシステム（ナビゲーションシステム）から取得する。また、現在位置に応じた受信可能チャンネル情報の取得手法としては、第２チューナー部９２により検索する手法、予め保持された情報を取得する手法、または、地域ごとの受信可能チャンネルリストを有する配信サーバにアクセスして通信を介して取得する方法等を利用することができる。取得した現在位置において取得可能なチャンネルは、図９に示すようなリストとして取得スケジュール作成部３２１、又は、第２チューナー部９２が記憶する。図９に示すように、本例の地域では、８１〜８８および９１〜９８の計１６チャンネルが受信できる。
【００７１】
また、取得スケジュール作成部３２１は、デジタル放送受信装置１１０が予め受け付けた設定チャンネル（プリセットチャンネル）の情報を取得する（５０２）。設定チャンネルは、ユーザが視聴したいチャンネルであって、入力手段８２のチャンネルプリセット機能を介して入力され、入力手段８２、又は、第２チューナー部９２に記憶される。図１０に、プリセットされたチャンネルリストの一例を示した。本例では、８２、８６、９１、９２、９５、９８の計６チャンネルが設定されたプリセットチャンネルとして登録されている。
【００７２】
続いて、取得スケジュール作成部３２１は、予め設定された配信情報のチャンネルリストに基づいて、この設定されたチャンネルの放送関連情報を優先的に取得する取得スケジュールを決定する（５０３）。図１１にプリセットチャンネルの放送関連情報を優先的に取得する取得スケジュールの一例を示した。図１１に示すように、取得順序１〜１６には図９に記載した受信可能な全チャンネルが含まれており、そのうちの取得順序１〜６にプリセットチャンネルが割り当てられている。これにより、プリセットチャンネルの放送関連情報は、プリセットされていないチャンネルの放送関連情報に比べて優先して取得される。
【００７３】
本実施形態では、プリセットされたチャンネルであって、かつ、図９に示した現在位置において受信可能なチャンネルの取得順序を高く設定する。
【００７４】
次に、作成された取得スケジュールに基づいて放送関連情報を取得する（５０４）。第２チューナー部９２は、取得手段３の指令に従い、ステップ６０４で作成された取得スケジュールの取得順序が1番目（Ｎ番目）のチャンネルにチャネリング（チャンネル合わせ）し、放送関連情報を取得する（５０５、５０６）。このとき、第２チューナー部９２で受信しようとするチャンネル（Ｎ番目のチャンネル）が、ユーザが視聴中（配信情報を取得中）のチャンネル（第1チューナー部１２で受信中のチャンネル）と同じ場合（５０７でＹ）、取得スケジュールの次の順番のチャンネル（Ｎ＋１）にチャネリングする（５１２）。第２チューナー部９２の受信チャンネル（Ｎ番目のチャンネル）が第1チューナー部１２の受信チャンネルと同じでなければ（５０７でＮ）、Ｎ番目のチャンネルの放送関連情報の取得を開始する（５０８）。放送関連情報の取得は第２デジタル放送デコード手段１０を介して行われる。聴取中のチャンネルに関する放送関連情報の取得は第１チューナー部１２で行い、異なるチャンネルの放送関連情報を第２チューナー部９２で行うことにより効率的に放送関連情報を取得できる。
【００７５】
Ｎ番目の放送関連情報の取得が終了すると（５０９でＹ）、取得手段３は、取得した放送関連情報を、記憶手段４の放送関連情報記憶部４１に書き込む（５１０）。記憶の態様は特に限定されないが、図３に示すように、チャンネル情報と対応づけて記憶することが好ましい。また、取得手段３は、放送関連情報の取得完了の旨を、第２チューナー部９２に伝える。第２チューナー部９２は、次の取得順位（Ｎ＋１）のチャンネルの放送関連情報を受信し（５１２）、先述した５０６〜５１２の受信処理を繰り返す。
【００７６】
記憶された放送関連情報は、第１実施形態の図４に示したステップ１０５において、選択手段６により読み込まれ、図４に示す放送関連情報の出力処理に供される。
【００７７】
これにより、ユーザが予め設定したチャンネルの放送関連情報を優先的に取得することができ、配信情報の中断時に視聴中のチャンネルの放送関連情報を提示することができる。
【００７８】
続いて、図１２〜１４に基づいて、選択された回数の多いチャンネルを優先的に取得するスケジュールに基づいて放送関連情報を取得し、記憶手段４に記憶する処理について説明する。
【００７９】
本処理を行うデジタル放送受信装置１１０の入力手段８２は、チャンネルの選択履歴蓄積機能を備える。このチャンネルの選択履歴蓄積機能は、操作指令入力機能を介して入力されたチャンネルの選択入力を、経時的に記憶する機能である。蓄積された選択履歴を参照すれば、ユーザがどのチャンネルを多く選択したかを知ることができる。
【００８０】
本処理のフローチャートを図１２に示した。本処理のうち、５０１、５０５〜５１１までの処理は図８の対応する処理と共通する。また、記憶された放送関連情報は、第１実施形態の図４に示したステップ１０５において、選択手段６により読み込まれる。ここでは、共通する処理については説明を省略し、異なる処理について説明する。
【００８１】
図１２に示すように、取得スケジュール作成部３２１が受信可能チャンネル情報を取得した後（５０１）、取得スケジュール作成部３２１は、過去におけるユーザのチャンネルの選択履歴を取得する（６０２）。取得スケジュール作成部３２１は、選択履歴に基づいて、選択された回数の多いチャンネルを判断する。図１３に示すように、取得スケジュール作成部３２１は、選択回数を比較して選択回数の大小関係に基づいてチャンネルをソートする。取得スケジュール作成部３２１は、選択回数が多い順に優先順位を高くした取得スケジュールを作成する（６０３）。このとき、図９に示した現在位置において受信可能なチャンネルであることを付加条件とすることが好ましい。図１４に作成した放送関連情報の取得スケジュールの一例を示す。図１４に示すように、本例の取得スケジュールは、選択回数の多いチャンネルを高い優先順位に割り振る。
【００８２】
決定された取得スケジュールに基づいて放送関連情報を取得する（６０４）。第２チューナー部９２は、取得スケジュールの優先順位の高い方から降順に、チャンネルを切り替える。ステップ５０５以降の処理は、図８に示す処理と共通する。
【００８３】
これにより、ユーザが選択する回数の多いチャンネルの放送関連情報を優先的に取得することができ、配信情報の中断時に視聴中のチャンネルの放送関連情報を提示することができる。
【００８４】
最後に、図１５及び１６に基づいて、視聴時間の長いチャンネルを優先的に取得するスケジュールに基づいて放送関連情報を取得し、記憶手段４に記憶する処理について説明する。
【００８５】
本処理を行うデジタル放送受信装置１１０の入力手段８２は、チャンネルごとの視聴時間積算機能を備える。このチャンネルごとの視聴時間積算機能は、操作指令入力機能を介して選択されたチャンネルの配信情報の受信時間（そのチャンネルの視聴時間）を積算する。積算された視聴時間を参照すれば、ユーザがどのチャンネルを長く（時間）視聴したかを知ることができる。
【００８６】
本処理のフローチャートを図１５に示した。本処理のうち、５０１、５０５〜５１１までの処理は図８の対応する処理と共通する。また、記憶された放送関連情報は、第１実施形態の図４に示したステップ１０５において、選択手段６により読み込まれる。ここでは、共通する処理については説明を省略し、異なる処理について説明する。
【００８７】
図１５に示すように、取得スケジュール作成部３２１が受信可能チャンネル情報を取得した後（５０１）、取得スケジュール作成部３２１は、過去におけるユーザのチャンネルごとの視聴積算時間を取得する（７０２）。取得スケジュール作成部３２１は、視聴積算時間に基づいて、視聴された時間の長いチャンネルを判断する。本例では、全視聴積算時間に対する各チャンネルＸの視聴積算時間を算出し、視聴時間の観点から各チャンネルがどれだけの割合で選択され、視聴されたかを判断する。取得スケジュール作成部３２１は、図１６に示すように、視聴割合を比較して視聴割合の大小関係に基づいてチャンネルをソートする。取得スケジュール作成部３２１は、視聴割合（視聴時間全体に対してあるチャンネルの配信情報が視聴された時間の割合）が多い順に優先順位を決定した取得スケジュールを作成する（７０３）。このとき、図９に示した現在位置において受信可能なチャンネルであることを付加条件とすることが好ましい。図１７に作成した放送関連情報の取得スケジュールの一例を示す。図１７に示す取得スケジュールは、視聴時間の割合（視聴割合）の高いチャンネルを高い優先順位に割り振る。たとえば、チャンネル９８は最も高い２５％の視聴割合であるので優先順位が一番である。二番目に視聴割合が高い（２０％）のチャンネル９１は優先順位が二番目である。
【００８８】
決定された取得スケジュールに基づいて放送関連情報を取得する（７０４）。第２チューナー部９２は、取得スケジュールの優先順位の高い方から降順に、チャンネルを切り替える。ステップ５０５以降の処理は、図８に示す処理と共通する。
【００８９】
これにより、ユーザが比較的長い時間に渡って視聴したチャンネルの放送関連情報を優先的に取得することができ、配信情報の中断時に視聴中のチャンネルの放送関連情報を提示することができる。
【００９０】
本実施形態は以上のように構成され、機能するので、以下の効果を奏する。  本実施形態のデジタル放送受信装置１１０は、２つの受信手段を備えるため、走行中の限られた時間の中で効率的に放送関連情報を取得することができる。つまり、一の受信手段を配信情報（放送番組）の取得に用い、他方の受信手段を放送関連情報の取得に用いることができるため、受信していないチャンネルの放送関連情報、及び、新しい放送関連情報を取得することができる。具体的には、ユーザが選択したチャンネルを受信しながら、ユーザのチャンネル変更に備えてユーザが選択する可能性の高いチャンネル（プリセットチャンネル、選択回数の多いチャンネル、視聴割合の高いチャンネル）の放送関連情報を予め取得しておくことができる。
【００９１】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００９２】
【図１】第１実施形態のデジタル放送受信装置のブロック構成図である。
【図２】利用期間が付された放送関連情報の一例を示す図である。
【図３】チャンネルごとに記憶された放送関連情報の一例を示すである。
【図４】第１実施形態に係るデジタル放送受信装置の動作手順を示すフローチャート図である。
【図５】本実施形態の選択処理の動作手順を示すフローチャート図である。
【図６】本実施形態の選択処理の動作手順を示す他のフローチャート図である。
【図７】第２実施形態のデジタル放送受信装置のブロック構成図である。
【図８】第２実施形態に係る放送関連情報の取得手法の第１の動作手順を示すフローチャート図である。
【図９】現在位置において受信可能なチャンネルのリスト例を示す図である。
【図１０】プリセットされたチャンネルのリスト例を示す図である。
【図１１】プリセットチャンネルを優先した放送関連情報取得スケジュールの一例を示す図である。
【図１２】第２実施形態に係る放送関連情報の取得手法の第２の動作手順を示すフローチャート図である。
【図１３】チャンネルの選択回数の大小関係を示す図である。
【図１４】選択回数の多いチャンネルを優先した放送関連情報取得スケジュールの一例を示す図である。
【図１５】第２実施形態に係る放送関連情報の取得手法の第３の動作手順を示すフローチャート図である。
【図１６】チャンネルの視聴割合の大小関係を示す図である。
【図１７】視聴割合の高いチャンネルを優先した放送関連情報取得スケジュールの一例を示す図である。
【符号の説明】
【００９３】
１００，１１０…デジタル放送受信装置
１…デジタル放送受信手段、第１デジタル放送受信手段、第１受信手段
２…デジタル放送デコード手段、第２デジタル放送デコード手段
３…取得手段
３１…付記情報取得部
３２…取得制御部
３２１…取得スケジュール作成部
４…記憶手段
４１…放送関連情報記憶部
５…中断判断手段
６…選択手段
６１…中断時刻取得部
６２…利用期間取得部
６３…時刻対比部
６５…現在位置取得部
６６…利用エリア取得部
６７…位置対比部
７…出力制御手段
８…入出力装置
８１…出力手段
８１１…スピーカ
８１２…ディスプレイ
８２・・・入力手段
８２１…操作入力部
９…第２デジタル放送受信手段、第２受信手段
１０…第２デジタル放送デコード手段
２００・・・通信装置
３００…ナビゲーション装置
３００…出力装置
【図１】
2009141752.tif 000003
【図２】
2009141752.tif 000004
【図３】
2009141752.tif 000005
【図４】
2009141752.tif 000006
【図５】
2009141752.tif 000007
【図６】
2009141752.tif 000008
【図７】
2009141752.tif 000009
【図８】
2009141752.tif 000010
【図９】
2009141752.tif 000011
【図１０】
2009141752.tif 000012
【図１１】
2009141752.tif 000013
【図１２】
2009141752.tif 000014
【図１３】
2009141752.tif 000015
【図１４】
2009141752.tif 000016
【図１５】
2009141752.tif 000017
【図１６】
2009141752.tif 000018
【図１７】
2009141752.tif 000019